(57)【特許請求の範囲】
【請求項１】
電源及び制御負荷に接続される端子を備えた複数の端子ブロックと、周囲の外光を利用して電源に接続される端子と制御負荷に接続される端子との接続の開閉を行う開閉機能ブロックと、端子ブロックと開閉機能ブロックを収容するベース及びカバーと、外光を採り入れる受光カバーを備えた自動点滅器であって、受光カバーを覆って外光を遮蔽するテストカバーをベース及びカバーで構成する器体に保持させ、ベースが前面に開口を有する箱状に形成され、ベースの開口縁に受光カバーが嵌合され、受光カバーにカバーが保持され、受光カバーの端子ブロックの端子ねじに対向する位置にドライバー挿入孔が設けられ、カバーは、テストカバー及び端子カバーを共用化した共用部と、ベースもしくは受光カバーに保持されて位置決めする保持部とから構成し、共用部に、ベースに係止するベース係止部と受光カバーの端子ブロックを覆う端子覆い部に係止する受光カバー係止部を設け、ベース係止部と受光カバー係止部を共用部の異なる辺に設けて成ることを特徴とする自動点滅器。
【請求項２】
受光カバーの端子覆い部と受光部との間の位置に、遮光壁をベースに設けて成ることを特徴とする請求項１記載の自動点滅器。
【請求項３】
受光カバーの端子覆い部と受光部との間に凹所を形成し、凹所にカバーに形成した遮光片を挿入して成ることを特徴とする請求項２記載の自動点滅器。
【請求項４】
受光カバーの端子覆い部と受光部との間に薄肉成形部が形成されて成ることを特徴とする請求項３記載の自動点滅器。
【発明の詳細な説明】
【０００１】
【発明の属する技術分野】
本発明は、周囲の外光の光量によって電源と制御負荷との接続の開閉を行う自動点滅器に関し、詳しくは、施工後の確認作業及びメンテナンス作業を容易にし、かつ、電線接続における安全性を高めようとする技術に係るものである。
【０００２】
【従来の技術】
従来の自動点滅器は、電源及び制御負荷に接続される端子を備えた複数の端子ブロックと、周囲の外光を利用して電源に接続される端子と制御負荷に接続される端子との接続の開閉を行う開閉機能ブロックと、端子ブロックと開閉機能ブロックを収容するベース及びカバーと、外光を採り入れる受光カバーを備えていて、周囲の外光の光量の検出結果によって、電源に接続される端子と制御負荷に接続される端子との接続の開閉をおこなう構成になっている（特開２００１−５３５９７公報などを参照）。
【０００３】
ところで、ベース及びカバーによって構成される器体は全体又は一部が乳白色のカバー部からなり、このカバー部を受光カバーと兼用する場合があるが、近年の電子式の自動点滅器では、従来の３６０度の光の検知ではなく、設定された検知範囲に対して受光を行うように、カバーと受光カバーとを分離して指向性を確保し、これにより耐誤動作性能を向上させている。
【０００４】
そして、このような従来の自動点滅器は屋外に設置されて使用されるが、例えば自動点滅器を設置する場合、またはこれを用いた街路灯または道路灯などの蛍光灯を交換するなどのメンテナンスを行う場合に、光を透過しない袋を作業者が所持していてこれを取り出して受光カバーの部分を覆い、外光を遮断した状態で、自動点滅器の動作または蛍光灯などの点灯の確認がおこなわれている。
【０００５】
【発明が解決しようとする課題】
ところで、街路灯または道路灯などの場合、遮光用の袋を取り出して受光カバーの部分に被せる作業は、面倒であってメンテナンスの作業性が悪く、また高所での作業としては好ましいものではない。更に、端子へと挿入された電線の接続の作業において、不測に高圧導電部である端子ブロックに触れるおそれがあった。
【０００６】
本発明は、このような問題に鑑みてなされたものであり、施工後及びメンテナンス時の自動点滅器の動作または蛍光灯などの点灯の確認作業を容易におこなえ、かつ、端子ブロックに不測に触れることがなく安全な自動点滅器を提供することを課題とする。
【０００７】
【課題を解決するための手段】
請求項１においては、電源及び制御負荷に接続される端子を備えた複数の端子ブロック１と、周囲の外光を利用して電源に接続される端子と制御負荷に接続される端子との接続の開閉を行う開閉機能ブロック２と、端子ブロック１と開閉機能ブロック２を収容するベース３及びカバー４と、外光を採り入れる受光カバー５を備えた自動点滅器であって、受光カバー５を覆って外光を遮蔽するテストカバー６をベース３及びカバー４で構成する器体３６に保持させていることを特徴とするものである。
【０００８】
このような構成によれば、例えば、自動点滅器Ａを設置した後の自動点滅器Ａの作動を確認する場合、またはこれを用いた街路灯または道路灯などの蛍光灯を交換した後に蛍光灯などの点灯の確認する場合、テストカバー６は器体３６側に保持させていることから、器体３６から外したテストカバー６にて受光カバー５を容易に覆うことができ、従来のように、高所において作業者が所持している遮光用の袋を取り出して受光カバーの部分に被せて遮光をおこなう作業を省くことができ、高所での作業性及び安全性を確保することができる。
【０００９】
しかも、ベース３が前面に開口３１を有する箱状に形成され、ベース３の開口縁に受光カバー５が嵌合され、受光カバー５にカバー４が保持され、受光カバー５の端子ブロック１の端子ねじ１７に対向する位置にドライバー挿入孔１１が設けられていることを特徴とするものである。このような構成によれば、略透明な受光カバー５を透して端子ブロック１を確認でき、高圧導電部となる端子ブロック１に作業者が不測に触れるのを防止することができ、安全性を確保することができる。
【００１０】
また、請求項１においては、カバー４は、テストカバー６及び端子カバーを共用化した共用部４ａと、ベース３もしくは受光カバー５に保持されて位置決めする保持部４ｂとから構成し、共用部４ａに、ベース３に係止するベース係止部６１と受光カバー５の端子ブロック１を覆う端子覆い部６２に係止する受光カバー係止部６３を設け、ベース係止部６１と受光カバー係止部６３を共用部４ａの異なる辺に設けていることを特徴とするものである。このような構成によれば、共用部４ａのベース係止部６１がベース３に係止され、受光カバー係止部６３が受光カバー５の端子覆い部６２に係止され、かつ、辺が異なる複数箇所でかつ対象が異なる部分に係止することから、共用部４ａが経年変化でたわみ変形が生じていずれか一方の係止が外れた場合であっても、他方が係止する状態を維持することができ、長期の使用であっても共用部４ａが端子覆い部６２から外れることを防止することができ、使用状態における信頼性を確保することができる。
【００１１】
請求項２においては、受光カバー５の端子覆い部６２と受光部６４との間の位置に、遮光壁６５をベース３に設けていることを特徴とするものである。このような構成によれば、共用部４ａを例えば保持部４ｂに対して折り曲げて受光部６４を覆って、施工後やメンテナンス時のテストをおこなう場合に、端子覆い部６２側から受光部６４側への外光の入射をベース３側の遮光壁６５によって遮ることができ、テスト不良が生じることがなく、確実にテストをおこなうことができる。
【００１２】
請求項３においては、受光カバー５の端子覆い部６２と受光部６４との間に凹所６６を形成し、凹所６６にカバー４に形成した遮光片２７を挿入しているから、凹所６６に挿入したカバー４側の遮光片２７によって端子覆い部６２側から受光部６４側への外光の入射を遮ることができ、テスト不良が生じることがなく、確実にテストをおこなうことができ、かつ、ベース３の遮光壁６５にカバー４側の遮光片２７が向き合うように対向させることによって、一層、遮光効果を高めることができる。
【００１３】
請求項４においては、受光カバー５の端子覆い部６２と受光部６４との間に薄肉成形部６７が形成されていることを特徴とするものである。このような構成によれば、受光カバー５の材料内部を通過して端子覆い部６２側から受光部６４側への導光を薄肉成形部６７において減衰させることができ、一層、遮光効果を高めることができる。
【００１４】
【発明の実施の形態】
以下、本発明の実施の形態を説明する。図１は本発明に係る自動点滅器の側断面図である。図２は正面図である。図３は分解斜視図である。
【００１５】
自動点滅器Ａは、電源及び制御負荷に接続される端子１４を備えた複数の端子ブロック１…と、周囲の外光を利用して電源に接続される端子１４と制御負荷に接続される端子１４との接続の開閉を行う開閉機能ブロック２と、端子ブロック１と開閉機能ブロック２を収容する器体３６としてのベース３及びカバー４と、外光を採り入れる受光カバー５を備えている。このような自動点滅器Ａは、例えば、断面Ｌ字状で一端部にねじ孔１５が形成された板状の取付金具１６を介して、例えば、屋外に取り付けられて使用されるものである。
【００１６】
端子ブロック１は、端子ねじ１７、これが螺着される板状部１８および端子１４となる端子板１９により構成され、複数の端子ブロック１の端子１４には、電源および制御負荷にそれぞれ接続されることになる。
【００１７】
開閉機能ブロック２は、実装基板２１、この一の面（前面）に実装される例えば外光の明るさに応じた電圧を発生する太陽電池からなる光起電力素子２２、および実装基板２１の他の面に実装されるリレー２３などにより構成される。実装基板２１には、図１に示すように、端子ブロック１の端子板１９の一端が接続され、電源に接続される端子１４と制御負荷に接続される端子１４との間には、リレー２３が設けられる。開閉機能ブロック２は、周囲の外光を利用して、電源に接続される端子１４と制御負荷に接続される端子１４との接続の開閉（リレー２３の接点の開閉）をおこなう構成になっている。なお、リレー２３に代えてスイッチング素子を使用する構成でもよい。
【００１８】
器体３６を構成するベース３は、遮光性で例えば黒色の樹脂により前面に開口３１を有する箱状に形成され、複数の端子ブロック１および開閉機能ブロック２を内部に収容するものである。図３の例では、ベース３の前面下方には各端子ブロック１を収容する収容室３９が４室設けられており、各収容室３９の間は隔壁３２で仕切られ、各端子ブロック１がベース３の前面下方に絶縁状態で収容保持される。
【００１９】
ベース３の前面上方には、一対の支持部３３および別の支持部３４が形成されている。支持部３３の前方先端には、実装基板２１に形成された孔２１ａに挿入される突起３３ａが形成され、一方、支持部３４の前方先端には、実装基板２１に形成された孔２１ｂに挿通されたねじ具（図示せず）のねじ孔３４ａが形成されている。
【００２０】
これにより、突起３３ａが孔２１ａに挿入されて実装基板２１を支持部３３、３４で支持して、ねじ孔３４ａにおいてねじ具でねじ止めすることで開閉機能ブロック２がベース３に固定される。
【００２１】
ベース３の後面には、後方に突出する支持部３５が形成され、この支持部３５には、図１に示すように、取付金具１６の一端部の面と支持部３５の一の面とを合わせた状態で、取付ねじＳ１を支持部３５に形成したねじ挿通孔３５ａに挿通し、ねじ孔１５にねじ込むことで、取付金具１６にベース３をねじ止めするようにしている。
【００２２】
取付金具１６を介してベース３が、例えば、玄関先の壁面または電柱などの所定の取付部分に取り付けられた状態で、開閉機能ブロック２の光起電力素子２２が外光を受光する受光方向を、複数の方向のうちのいずれかの方向に固定するための複数の凹部３５ｂ…および凸部１６ｂが、それぞれ支持部３５の一の面および取付金具１６の一端部の面に形成されている。これにより、凸部１６ｂを複数の凹部３５ｂ…のいずれかに凹凸嵌合すれば、受光方向を複数の方向のうちのいずれかの方向に指向性を持たせて固定することができる。
【００２３】
受光カバー５は、透光性で透明の樹脂により後面に開口を有する薄箱状に形成され、ベース３の開口３１を閉塞するものである。なお、受光カバー４の詳細な説明は後述する。
【００２４】
器体３６を構成するカバー４は、遮光性で例えば黒色の樹脂により受光カバー５の前面を覆う薄箱状に形成され、受光カバー５の前面に取り付けられる。カバー４は、端子ブロック１…を覆う端子カバーの機能と光起電力素子２２を覆うテストカバー６の機能を共用する共用部４ａと、受光カバー５の上半部に保持される保持部４ｂとが、保持部４ｂに対して可動可能な部位として折り曲げが可能な薄肉部７にて接続されて構成されている。
【００２５】
カバー４において、開閉機能ブロック２の光起電力素子２２の前方に位置する保持部４ｂの中央部には採光窓１３が形成され、共用部４ａの前面中央には採光窓１３の内縁を凹部９として凹凸嵌合する凸部８を採光窓１３の全周に相当させて形成している。更に、採光窓１３の上縁中央部には切欠き２４が形成され、共用部４ａの下縁部に爪２５を有する係止片２６が突設されている。又、図１に示すように、遮光片２７が保持部４ｂの後面の下端側から後方に突設されている。
【００２６】
これにより、共用部４ａを薄肉部７において折り曲げて略矩形状となった凸部８を矩形状の採光窓１３の縁部を凹部９として凹凸嵌合させ、更に、係止片２６の爪２５を切欠き２４の縁に係止し、共用部４ａをテストカバー６として保持部４ｂに重ねて支持するのであり、光起電力素子２２に対して好適な遮光が可能になるのである。この場合、凸部８の内縁が受光カバー５の矩形突部４３の外縁部に係合して、一層、遮光性を高めている。
【００２７】
カバー４の共用部４ａの左右部には、後方に突出する先端外向きの爪７２を有する左右一対の掛止突片２８、２８が後方に突設されている。一対の掛止突片２８、２８は、ベース３の開口縁部内側に形成され側壁に貫通する孔２９に挿通され、孔２９の外側の縁部に先端外向きの爪が掛止するようになっている。
【００２８】
これにより、カバー４の保持部４ｂの採光窓１３を除いてベース３の開口３１全体を閉塞することができる。保持部４ｂの側壁内側には突起４０が複数形成されて、受光カバー４の側壁に形成された受部４２に係合してカバー４が受光カバー５に保持される。
【００２９】
このように、受光カバー５を覆って外光を遮蔽するテストカバー６をカバー４及びベース３にて構成している器体３６に保持させていることから、例えば、自動点滅器Ａを設置した後の自動点滅器Ａの作動を確認する場合、またはこれを用いた街路灯または道路灯などの蛍光灯を交換した後に蛍光灯などの点灯の確認する場合、テストカバー６にて受光カバー５（採光窓１３）を容易に覆うことができ、高所において作業者が所持している遮光用の袋を取り出して受光カバー５の部分（採光窓１３）に被せて遮光をおこなう作業を省くことができ、高所での作業性及び安全性を確保することができるのである。
【００３０】
次に、受光カバー５について詳述する。受光カバー５の前面中央には、カバー４の遮光片２７が挿入される溝状の凹所６６が形成されており、凹所６６の下方であって、各端子ブロック１のねじ１７の前方に位置する受光カバー４の前面下部には、ドライバーの先端を挿入するためのドライバー挿入孔１１が形成されている。ベース３の下側面に半円状の溝３７が形成されて端子１４に接続される電線が、ベース３の下面側の溝３７から挿入されるようになっている。
【００３１】
これにより、カバー５の共用部４ａを薄肉部７で折り曲げて開放した状態で、ドライバーの先端をドライバー挿入孔１１に挿通して端子ねじ１７を操作することで、下面側から挿入した電線の導体線を端子１４に接続することができる。電線の接続後は、共用部４ａを薄肉部７で折り曲げて掛止突片２８をベース３の孔２９に挿入して爪７２を係止することで端子カバーとするものである。
【００３２】
このように、テストカバー６は端子を覆う端子カバーと共用化しているのであり、端子ブロック１の端子１４に電線を接続した後にその接続作業をおこなうためのドライバー挿入孔１１や、端子ねじ１７等を屋外環境から保護する端子カバーとテストカバー６を共用することができるのであり、共用によって構成を簡素化し、それでいて、信頼性を向上させるだけでなく、高所での作業性及び安全性を、一層、高めることができる。
【００３３】
更に、薄肉部７で共用部４ａを折り曲げることで、施工時及びメンテナンス時に、端子カバーとテストカバー６とに容易に共用することができるのである。又、共用部４ａと保持部４ｂとを一体化でき、安価に製造することができてコストを低くできる。しかも、共用部４ａと保持部４ｂ側の採光窓１３の一方に凸部８を他方に凹部９を採光窓１３の全周に形成して凹凸嵌合していることから、共用部４ａを保持部４ｂをテストカバー６として面同士を当接して遮光する場合に比べて、共用部４ａをテストカバー６とする場合に採光窓１３の周部に隙間が生じることがなく、テストカバー６の遮光機能を、一層、高めることができる。
【００３４】
図６及び図７に示すように、カバー４における共用部４ａには、ベース３の孔２９に係止するベース係止部６１としての上記掛止突片２８が左右辺の側壁６８に設けられている。共用部４ａの下壁６９には受光カバー係止部６３としての凹部７０が形成され、一方、受光カバー５の端子ブロック１を覆う端子覆い部６２の下縁部に凸部７１を形成している。ベース係止部６１と受光カバー係止部６３を共用部４ａの異なる辺に各々複数個設けている。
【００３５】
これによれば、共用部４ａのベース係止部６１の掛止突片２８の爪７２がベース３の孔２９に内側から掛止めされ、共用部４ａの受光カバー係止部６３の凹部７０が受光カバー５の端子覆い部６２の凸部７１に係止されるのであり、共用部４ａにおける辺が異なる複数箇所でかつ対象が異なる部分に係止することから、共用部４ａが経年変化でたわみ変形が生じて、掛止突片２８又は凹部７０におけるいずれか一方の係止が外れた場合であっても、他方が係止する状態を維持することができるのであり、長期の使用であっても共用部４ａが端子覆い部６２から外れることを防止することができ、使用状態における信頼性を確保することができるのである。
【００３６】
図１及び図３に示すように、受光カバー５の端子覆い部６２と受光部６４との間のベース３部分には遮光壁６５が設けられていて、共用部４ａを例えば保持部４ｂに対して折り曲げてテストカバー６として受光部６４を覆い、施工後やメンテナンス時のテストをおこなう場合に、端子覆い部６２側から受光部６４側への外光の入射をベース３側の遮光壁６５によって遮ることができるのである。これにより、テスト不良が生じることがなく、確実にテストをおこなうことができるのである。
【００３７】
更に、受光カバー５の端子覆い部６２と受光部６４との間には溝状の凹所６６を形成していて、凹所６６にカバー４に形成した上記遮光片２７を挿入している。このことから、凹所６６に挿入したカバー４側の遮光片２７によって端子覆い部６２側から受光部６４側への外光の入射を遮ることができ、テスト不良が生じることがなく、確実にテストをおこなうことができ、かつ、ベース３の遮光壁６５に遮光片２７が向き合うように対向させることによって（図８参照）、一層、遮光効果を高めることができるのである。
【００３８】
しかも、受光カバー５の端子覆い部６２と受光部６４との間には屈曲している薄肉成形部６７が形成されて光学的な隘路となって、受光カバー５の材料内部を通過して端子覆い部６２側から受光部６４側への導光を薄肉成形部６７において減衰させることができ、一層、遮光効果を高めることができるのである。
【００３９】
【発明の効果】
請求項１においては、電源及び制御負荷に接続される端子を備えた複数の端子ブロックと、周囲の外光を利用して電源に接続される端子と制御負荷に接続される端子との接続の開閉を行う開閉機能ブロックと、端子ブロックと開閉機能ブロックを収容するベース及びカバーと、外光を採り入れる受光カバーを備えた自動点滅器であって、受光カバーを覆って外光を遮蔽するテストカバーをベース及びカバーで構成する器体に保持させているから、例えば、自動点滅器を設置した後の自動点滅器の作動を確認する場合、またはこれを用いた街路灯または道路灯などの蛍光灯を交換した後に蛍光灯などの点灯の確認する場合、テストカバーは器体側に保持させていることから、器体から外したテストカバーにて受光カバーを容易に覆うことができ、従来のように、高所において作業者が所持している遮光用の袋を取り出して受光カバーの部分に被せて遮光をおこなう作業を省くことができ、高所での作業性及び安全性を確保することができるという利点がある。
【００４０】
しかも、ベースが前面に開口を有する箱状に形成され、ベースの開口縁に受光カバーが嵌合され、受光カバーにカバーが保持され、受光カバーの端子ブロックの端子ねじに対向する位置にドライバー挿入孔が設けられているから、略透明な受光カバーを透して端子ブロックを確認でき、高圧導電部となる端子ブロックに作業者が不測に触れるのを防止することができ、安全性を確保することができるという利点がある。
【００４１】
また、請求項１においては、カバーは、テストカバー及び端子カバーを共用化した共用部と、ベースもしくは受光カバーに保持されて位置決めする保持部とから構成し、共用部に、ベースに係止するベース係止部と受光カバーの端子ブロックを覆う端子覆い部に係止する受光カバー係止部を設け、ベース係止部と受光カバー係止部を共用部の異なる辺に設けているから、共用部のベース係止部がベースに係止され、受光カバー係止部が受光カバーの端子覆い部に係止され、かつ、辺が異なる複数箇所でかつ対象が異なる部分に係止することから、共用部が経年変化でたわみ変形が生じていずれか一方の係止が外れた場合であっても、他方が係止する状態を維持することができ、長期の使用であっても共用部が端子覆い部から外れることを防止することができ、使用状態における信頼性を確保することができるという利点がある。
【００４２】
請求項２においては、請求項１の効果に加えて、受光カバーの端子覆い部と受光部との間の位置に、遮光壁をベースに設けているから、共用部を例えば保持部に対して折り曲げて受光部を覆って、施工後やメンテナンス時のテストをおこなう場合に、端子覆い部側から受光部側への外光の入射をベース側の遮光壁によって遮ることができ、テスト不良が生じることがなく、確実にテストをおこなうことができるという利点がある。
【００４３】
請求項３においては、請求項２の効果に加えて、受光カバーの端子覆い部と受光部との間に凹所を形成し、凹所にカバーに形成した遮光片を挿入しているから、凹所に挿入したカバー側の遮光片によって端子覆い部側から受光部側への外光の入射を遮ることができ、テスト不良が生じることがなく、確実にテストをおこなうことができ、かつ、ベースの遮光壁にカバー側の遮光片が向き合うように対向させることによって、一層、遮光効果を高めることができるという利点がある。
【００４４】
請求項４においては、請求項３の効果に加えて、受光カバーの端子覆い部と受光部との間に薄肉成形部が形成されているから、受光カバーの材料内部を通過して端子覆い部側から受光部側への導光を薄肉成形部において減衰させることができ、一層、遮光効果を高めることができるという利点がある。
【図面の簡単な説明】
【図１】本発明の実施の一形態を示す側断面図である。
【図２】同上の正面図である。
【図３】同上の分解斜視図である。
【図４】同上の共用部をテストカバーとして使用している側断面図である。
【図５】同上の正面図である。
【図６】同上のカバーを表面側から見た斜視図である。
【図７】同上のカバーを裏面側から見た斜視図である。
【図８】同上の部分拡大断面図である。
【符号の説明】
１    端子ブロック
２    開閉機能ブロック
３    ベース
４    カバー
５    受光カバー
６    テストカバー
６１  ベース係止部
６２  端子覆い部
６３  受光カバー係止部
６４  受光部
６５  遮光壁
６６  凹所
６７  薄肉成形部
【図１】
0003931583.tif 000002
【図２】
0003931583.tif 000003
【図３】
0003931583.tif 000004
【図４】
0003931583.tif 000005
【図５】
0003931583.tif 000006
【図６】
0003931583.tif 000007
【図７】
0003931583.tif 000008
【図８】
0003931583.tif 000009